(57)【要約】【課題】トレー部材の物品載置部に載置された小間物のずれ動きを防止したもとで、物品収納部に対する物品の出し入れを好適に行ない得るようにする。【解決手段】トレー部材４０は、常には水平状態に姿勢保持する姿勢制御手段６０により、物品収納部１２の上方に到来した第１位置および該物品収納部１２の上方から退避した第２位置へ移動可能に支持されると共に、移動制御手段７０によりコンソールリッド３０に連繋されている。従ってトレー部材４０は、姿勢制御手段６０および移動制御手段７０により、コンソールリッド３０をコンソール本体１０へ閉成させると水平姿勢で第１位置へ移動する一方、コンソールリッド３０をコンソール本体１０から開放させると、該トレー部材４０が水平姿勢で第２位置へ移動して、物品収納部１２の開口部１４が全面的に開放される。【選択図】図５
2005343208.tif 000002
【特許請求の範囲】
【請求項１】
上方に開口した物品収納部(12)を画成したコンソール本体(10)と、前記コンソール本体(10)の上部に回動自在に配設されたコンソールリッド(30)と、前記物品収納部(12)とコンソールリッド(30)との間に配設されたトレー部材(40)とからなるコンソールボックスにおいて、
前記トレー部材(40)を前記物品収納部(12)の上方に到来した第１位置および該物品収納部(12)の上方から退避した第２位置へ移動可能に支持し、かつ常には該トレー部材(40)を水平状態に姿勢保持する姿勢制御手段(60)と、
前記トレー部材(40)と前記コンソールリッド(30)とを連繋し、該コンソールリッド(30)の開閉動作に連動して該トレー部材(40)を前記第１位置および第２位置の間で移動させる移動制御手段(70)とを有し、
前記姿勢制御手段(60)および前記移動制御手段(70)により、前記コンソールリッド(30)をコンソール本体(10)へ閉成させると、前記トレー部材(40)が水平姿勢で前記第１位置へ移動する一方、コンソールリッド(30)をコンソール本体(10)から開放させると、該トレー部材(40)が水平姿勢で前記第２位置へ移動するよう構成した
ことを特徴とするコンソールボックス。
【請求項２】
前記姿勢制御手段(60)は、前記コンソール本体(10)および前記トレー部材(40)に夫々枢着された連結支持部材(62,64)からなるリンク機構を呈している請求項１記載のコンソールボックス。
【請求項３】
前記姿勢制御手段(60)は、前記コンソール本体(10)に配設した第１ガイド部材(66)と、前記トレー部材(40)に配設されて前記第１ガイド部材(66)に摺接可能に嵌合する第２ガイド部材(68)とからなるスライド機構を呈している請求項１記載のコンソールボックス。
【請求項４】
前記移動制御手段(70)は、前記コンソールリッド(30)に配設された第１作動部材(72)と、前記トレー部材(40)に配設され、かつ該第１作動部材(72)に枢着された第２作動部材(74)とからなるリンク機構を呈している請求項１〜３の何れかに記載のコンソールボックス。
【請求項５】
前記トレー部材(40)は、前記コンソールリッド(30)の開放方向とは異なる方向へ移動する請求項１〜４の何れかに記載のコンソールボックス。
【発明の詳細な説明】
【技術分野】
【０００１】
本発明は、コンソールボックスに関し、更に詳細には、上方に開口した物品収納部を画成したコンソール本体と、このコンソール本体の上部に回動自在に配設されたコンソールリッドと、物品収納部とコンソールリッドとの間に配設されたトレー部材とからなるコンソールボックスに関するものである。
【背景技術】
【０００２】
セダンタイプやステーションワゴンタイプ等の自動車では、車内における前部座席間(運転席と助手席との間)のフロアに、例えば図９(ａ)に例示したようなコンソールボックスが設置されている。このコンソールボックスＣＢ１は、インジェクション成形部材である合成樹脂製のコンソール本体１０を主体とし、このコンソール本体１０の後側部分には上方へ開口する物品収納部１２が設けられており、身辺小間物を出し入れ可能に収納し得るようになっている。そしてコンソール本体１０の後側上部には、物品収納部１２の開口部１４を開放可能にするコンソールリッド３０が枢設されており、このコンソールリッド３０を後方側へ開放することで、物品収納部１２に対する物品の出し入れが可能となっている。なおコンソールリッド３０は、図示しない前部座席に隣接して位置するため、この前部座席を利用する乗員のためのアームレストとしても機能するようになっている。
【０００３】
そして、図９(ａ)に例示したコンソールボックスＣＢ１では、物品収納部１２とコンソールリッド３０との間に、トレー状またはバケット状を呈して物品載置部４２を有するトレー部材４０を追加装備したタイプとなっている。このトレー部材４０は、例えば硬貨、ボールペン、携帯電話または眼鏡等、比較的に小型または薄型な形状の種々小間物の収納に適しており、前述したコンソールリッド３０と同様にヒンジを利用してコンソール本体１０へ枢設した形態が実用化されている。なお、このようなトレー部材４０を備えたコンソールボックスに関しては、例えば特許文献１に開示されている。
【特許文献１】特開平１１−５９２７８号公報
【発明の開示】
【発明が解決しようとする課題】
【０００４】
ところで、図９(ａ)に例示したコンソールボックスＣＢ１では、トレー部材４０の物品載置部４２に対する物品の出し入れはコンソールリッド３０のみを開放することで実現され、コンソール本体１０の物品収納部１２に対する物品の出し入れはコンソールリッド３０およびトレー部材４０の両方を一緒に開放することで実現されるようになっている(図９(ｂ))。このため、物品収納部１２に対する物品の出し入れ時には、コンソールリッド３０と共にトレー部材４０が垂直近くまで回動して傾斜するようになるため、このトレー部材４０の物品載置部４２に収納載置されていた小間物が、該物品載置部４２内で後方側へずれ動いて乱雑となる欠点を内在していた。
【０００５】
そこで、図９に例示したコンソールボックスＣＢ１に内在する欠点を解決するために、図１０(ａ)に例示した構成のコンソールボックスＣＢ２が提案されている。このコンソールボックスＣＢ２では、例えばトレー部材４０の後端がコンソールリッド３０の下面略中央に枢着されており、また該トレー部材４０の側面に配設されたボス４４が、コンソール本体１０の内壁に配設されたガイドレール部材４６へ摺動可能に嵌合した構造となっている。このためトレー部材４０は、図１０(ｂ)に例示したように、レバー体４８の揺動変位に基づいてコンソールリッド３０が後方へスライドしながら開放するに際し、略水平状態に姿勢保持されたもとでコンソール本体１０の後方側へ従動的にスライド移動するようになる。
【０００６】
しかしながら、後方へ移動したトレー部材４０が依然として物品収納部１２の開口部１４に位置しているため、該開口部１４における開口幅Ｓが狭くなって開口面積が小さくなってしまい、物品収納部１２に対する物品の出し入れが行ない難くなることは勿論、やや大型サイズの物品の出し入れが不可能となる欠点があった。またトレー部材４０は、開放したコンソールリッド３０に近接して位置するようになるため、開放したコンソールリッド３０が前方へ傾斜している場合にはトレー部材４０の上方へ覆い被さるようになり、トレー部材４０に対する小間物の出し入れも行ない難い問題があった。なお、図１０(ｂ)に２点鎖線で例示したように、開放させたコンソールリッド３０に対してトレー部材４０を回動可能とした構造とすることも可能ではあるが、物品収納部１２に対する大型サイズの物品の出し入れが可能となるとしても、図９に例示した従前のコンソールボックスＣＢ１と同様に物品載置部４２内の小間物がずれ動く問題が発生することとなり、依然として問題が解決されないままとなっていた。
【０００７】
そこで本発明では、コンソールリッドの開放に際し、トレー部材が水平状態に姿勢保持されながら物品収納部の開口部から退避した位置へ移動する構造として、トレー部材の物品載置部に載置された小間物のずれ動きを防止したもとで物品収納部に対する物品の出し入れを好適に行ない得るようにしたコンソールボックスを提供することを目的とする。
【課題を解決するための手段】
【０００８】
前記課題を解決し、所期の目的を達成するため本発明は、
上方に開口した物品収納部を画成したコンソール本体と、前記コンソール本体の上部に回動自在に配設されたコンソールリッドと、前記物品収納部とコンソールリッドとの間に配設されたトレー部材とからなるコンソールボックスにおいて、
前記トレー部材を前記物品収納部の上方に到来した第１位置および該物品収納部の上方から退避した第２位置へ移動可能に支持し、かつ常には該トレー部材を水平状態に姿勢保持する姿勢制御手段と、
前記トレー部材と前記コンソールリッドとを連繋し、該コンソールリッドの開閉動作に連動して該トレー部材を前記第１位置および第２位置の間で移動させる移動制御手段とを有し、
前記姿勢制御手段および前記移動制御手段により、前記コンソールリッドをコンソール本体へ閉成させると、前記トレー部材が水平姿勢で前記第１位置へ移動する一方、コンソールリッドをコンソール本体から開放させると、該トレー部材が水平姿勢で前記第２位置へ移動するよう構成したことを特徴とする。
【発明の効果】
【０００９】
本発明に係るコンソールボックスによれば、トレー部材をコンソール本体へ取付ける姿勢保持手段と、トレー部材およびコンソールリッドを連繋する移動制御手段との協働により、コンソールリッドの開閉動作に際してトレー部材が常に水平姿勢に保持された状態で第１位置と第２位置との間を移動するようになり、このトレー部材の物品載置部に収納された小間物がずれ動く不都合を好適に防止できる利点がある。また、コンソールリッドを開放した際には、コンソール本体に画成した物品収納部の開口部から退避した第２位置へトレー部材が移動するようになるため、この物品収納部に対する物品の出し入れを円滑に行ない得ると共に、大型サイズの物品の出し入れも好適に行ない得る等の有益な効果を奏する。
【発明を実施するための最良の形態】
【００１０】
次に、本発明に係るコンソールボックスにつき、最適な実施例を挙げて、添付図面を参照しながら以下説明する。なお後述する各実施例では、図１０に例示した従来のコンソールボックスＣＢ２を基本とした形状のコンソールボックスで例示し、図１０に既出の部材・部位と同一の部材・部位については同一の符号を付して説明する。
【実施例】
【００１１】
(第１実施例)
図１は、第１実施例に係るコンソールボックスの概略斜視図であり、図２は、図１に例示したコンソールボックスの後側部分を、コンソールリッドを閉成させた状態で示した一部破断説明図であり、図３は、図１のIII−III線断面図である。第１実施例のコンソールボックスＣＢは、上方に開口した物品収納部１２を画成したコンソール本体１０と、このコンソール本体１０の上部に回動自在に配設されたコンソールリッド３０と、これら物品収納部１２とコンソールリッド３０との間に配設されたトレー部材４０とから基本的に構成されている。
【００１２】
コンソール本体１０は、例えばポリプロピレン(ＰＰ)等の合成樹脂素材からインジェクション成形された合成樹脂製の成形部材であって、その前側が図示しないインストルメントパネルの中央に連結されるようになっている。そして、チェンジレバーＣＬやドリンクホルダ１６等が設けられた前側部分１８と、この前側部分１８よりも高さ寸法が大きく設定されて前述の物品収納部１２が画成された後側部分２０とに便宜的に区分されている。そして後側部分２０において、前述した物品収納部１２の開口部１４の上方には、前述したトレー部材４０の収容空間２２が画成されている。なおコンソール本体１０は、成形の簡易性またはデザインの多様性等の理由から、複数の成形部材を組合わせて構成されるものもあり、第１実施例の場合には、物品収納部１２を画成するインナー部材２４や前側部分１８の上面に装着されるオーナメント部材２６は、別途成形された別部材となっている。
【００１３】
コンソールリッド３０は、例えばポリプロピレン(ＰＰ)等の合成樹脂素材からインジェクション成形され、前述した後側部分２０の上面であるリッド配設部位に整合し得る形状・サイズとされたアウター部材３２と、同じくポリプロピレン(ＰＰ)等の合成樹脂素材からインジェクション成形され、アウター部材３２の内側に装着されるインナー部材３４とから構成されている。そしてアウター部材３２の外面には、適宜の弾力性を有する裏打層を裏側に設けた表皮材３６が貼着されて適度の質感向上および触感向上が図られ、図示しない前部座席を利用する乗員のアームレストとして機能するようになっている。このようなコンソールリッド３０は、コンソール本体１０の後端部分に立設されたヒンジ部材３８に枢設され、後側部分２０の上面に倒伏して物品収納部１２およびトレー部材４０の物品載置部４２を覆蓋した閉成状態(図１〜図３)と、コンソール本体１０から略垂直に起立して物品収納部１２およびトレー部材４０の物品載置部４２を外部へ露出させた開放状態(図４、図５)とに回動変位可能となっている。そして、コンソールリッド３０の裏側には、図４および図５に例示したように、前述したアウター部材３２とインナー部材３４との間に固定された支持部材７３で支持された略Ｌ形の第１作動部材７２,７２が延出固定されており、後述する移動制御手段７０を構成するようになっている。
【００１４】
トレー部材４０は、例えばポリプロピレン(ＰＰ)等の合成樹脂素材からインジェクション成形され、前述した物品収納部１２の開口部１４に整合し得る形状・サイズとされたアウター部材５０と、同じくポリプロピレン(ＰＰ)等の合成樹脂素材からインジェクション成形され、アウター部材５０の内側に装着されるインナー部材５２とから構成されており、このインナー部材５２により凹状の物品載置部４２が画成されている。このトレー部材４０は、前述した収容空間２２の横幅および高さ寸法に合致する外形サイズに設定されていて、後述する姿勢制御手段６０を介してコンソール本体１０に取付けられており、図２および図３に例示した収容状態ではその上面がコンソール本体１０の上面と一致するようになっている。
【００１５】
そして第１実施例のコンソールボックスＣＢでは、図２〜図５に例示したように、前述したトレー部材４０をコンソール本体１０へ移動可能に配設するための姿勢制御手段６０と、前述したコンソールリッド３０の開閉動作に連動して該トレー部材４０を移動させる移動制御手段７０とを具備している。姿勢制御手段６０は、前述したトレー部材４０を、物品収納部１２の上方に到来して収容空間２２へ収容された第１位置(図１〜図３)と、該物品収納部１２から退避してコンソール本体１０の前側部分１８の上方へ延出した第２位置(図４および図５)との間を移動可能に支持し、かつ第１位置での停止状態、第２位置での停止状態、両位置間における移動過程状態における該トレー部材４０を常には水平状態に姿勢保持するようになっている。また移動制御手段７０は、前述のトレー部材４０とコンソールリッド３０とを連繋し、該コンソールリッド３０の開閉動作に連動して該トレー部材４０を前述した第１位置および第２位置の間で移動させるようになっている。すなわち、第１実施例のコンソールボックスＣＢでは、これら姿勢制御手段６０および移動制御手段７０の協働により、コンソールリッド３０をコンソール本体１０へ閉成させると、トレー部材４０が前述の第１位置へ水平姿勢で移動して収容空間２２内へ収容される一方、該コンソールリッド３０をコンソール本体１０から開放させると、該トレー部材４０が前述の第２位置へ水平姿勢で移動して前方へ延出するよう構成されている。
【００１６】
姿勢制御手段６０は、コンソール本体１０における内側面の所要位置およびトレー部材４０における外側面の所要位置に夫々枢着された第１連結支持部材６２および第２連結支持部材６４からなり、トレー部材４０の両側に装備された左右一対のリンク機構を呈している。すなわち第１連結支持部材６２は、略コ字形に形成された合成樹脂製または金属製の帯板状部材であって、その下側端縁がドリンクホルダ１６の側方においてコンソール本体１０の内壁面に枢着される一方、その上側端縁がトレー部材４０の側面前側に枢着されている。また第２連結支持部材６４は、略Ｉ字形に形成された合成樹脂製または金属製の帯板状部材であって、その下側端縁がドリンクホルダ１６と物品収納部１２との間の側方においてコンソール本体１０の内壁面に枢着される一方、その上側端縁がトレー部材４０の側面後側に枢着されている。ここで、コンソール本体１０の内壁面に枢着された第１連結支持部材６２および第２連結支持部材６４は、図２および図３に例示したように、該コンソール本体１０とインナー部材２４との間に画成した細長の挿通口２８を介して収容空間２２の側方へ延出している。
【００１７】
このようなリンク機構を呈する姿勢制御手段６０によりコンソール本体１０へ取付けられたトレー部材４０は、左右両側の第１連結支持部材６２および第２連結支持部材６４がコンソール本体１０の後方側へ夫々スウィングすると、水平姿勢に保持された状態で収容空間２２へ収容されて第１位置で停止保持されるようになる(図２、図３)。一方、左右両側の第１連結支持部材６２および第２連結支持部材６４がコンソール本体１０の前方側へ夫々スウィングすると、水平姿勢に保持された状態で収容空間２２から前側へ移動して第２位置で停止保持され、物品収納部１２の開口部１４から退避した状態となる(図４、図５)。なお、トレー部材４０が第２位置に停止保持される状態では、第１連結支持部材６２の中間部が挿通口２８の前端に当接するようになるので、該第１連結支持部材６２がこれ以上回動するのが規制される。また第１連結支持部材６２は、前述したように略コ字形を呈しているため、トレー部材４０が第２位置まで移動したとしてもコンソール本体１０の前側部分１８の上面へ目立つように露出しない。
【００１８】
なお本願でいうトレー部材４０の「水平姿勢」とは、完全な水平状態だけに限定されるものではなく、広い意味では若干の前下がり姿勢および後下がり姿勢等も含む。換言すると、物品載置部４２内に収納載置された小間物が、第１位置での停止状態、第２位置での停止状態、両位置間における移動過程状態の夫々において、該物品載置部４２内でずれ動くことがない姿勢を意味する。
【００１９】
移動制御手段７０は、コンソールリッド３０の裏側に配設された前述の第１作動部材７２と、トレー部材４０の側面と第１作動部材７２の先端とに夫々端部枢着され、これらトレー部材４０および第１作動部材７２を連結する第２作動部材７４とからなり、トレー部材４０の両側に装備された左右一対のリンク機構を呈している。各第１作動部材７２,７２は、前述したように、コンソールリッド３０の内部に固定された支持部材７３に強固に固定または該支持部材７３に一体的に形成されており、コンソールリッド３０の下面から突出しかつ後方へ延出している。また第２作動部材７４は、両端部が上方へ屈曲した略コ字形を呈しており、図２および図５に例示したように、コンソールリッド３０の開閉状態に関係なく常にはコンソール本体１０の上面へは殆ど露出しないようになっている。なお、第１作動部材７２および第２作動部材７４は、図３に例示したように、コンソールリッド３０の開閉動作時に前述した挿通口２８を挿通するようになっている。
【００２０】
このようなリンク機構を呈する移動制御手段７０によりコンソールリッド３０へ連繋されたトレー部材４０は、コンソールリッド３０をコンソール本体１０へ倒伏するよう閉成させると、前述した姿勢制御手段６０の第１連結支持部材６２および第２連結支持部材６４のスウィングにより水平姿勢に保持された状態で第１位置まで移動して停止保持され、該コンソールリッド３０で覆蓋されるようになる(図２、図３)。一方、コンソールリッド３０をコンソール本体１０から起立させ後方側へ開放させると、前述した姿勢制御手段６０の第１連結支持部材６２および第２連結支持部材６４のスウィングにより、水平姿勢に保持された状態で第２位置まで移動して停止保持され、該コンソールリッド３０から離間するようになる(図４、図５)。すなわち、コンソールリッド３０がコンソール本体１０の後方側へ開放するのに対し、トレー部材４０は該コンソール本体１０の前方側へ移動するようになり、コンソールリッド３０の開放方向とトレー部材４０の移動方向が異なっている。
【００２１】
前述したコンソールリッド３０の底面前端部には、コンソールリッド３０が閉成状態に変位し、かつトレー部材４０が第１位置へ移動した際に、これらコンソールリッド３０およびトレー部材４０をこの状態で停止保持させるための第１停止保持機構８０が具備されている。この第１停止保持機構８０は、コンソールリッド３０の底面前端部から下方へ突設されて先端部に係止爪部８４を設けた揺動レバー体８２と、トレー部材４０の上面前端部に形成された係止孔８６とから構成され、コンソールリッド３０が閉成位置へ到来すると共にトレー部材４０が第１位置へ到来すると係止爪部８４が係止孔８６へ係止するようになり、コンソールリッド３０およびトレー部材４０が閉成位置および第１位置に停止保持される。そして、コンソールリッド３０の前端面には、前述した揺動レバー体８２の係止爪部８４と係止孔８６との係止状態を解除するための操作レバー８８が配設されており、この操作レバー８８を指先で上方へ引き上げると前述した係止爪部８４と係止孔８６との係止状態が解除され、コンソールリッド３０の開放動作およびトレー部材４０の前方側への移動が許容される。
【００２２】
そして前述したトレー部材４０の左・右側面には、コンソールリッド３０が開放状態へ変位して当該のトレー部材４０が第２位置へ移動した際に、これらコンソールリッド３０およびトレー部材４０をこの状態で停止保持させるための第２停止保持機構９０が具備されている。この第２停止保持機構９０は、トレー部材４０の左右側面に枢支されて先端に係止爪部９４を設けた回動レバー体９２と、前述した第１連結支持部材６２に突設された係止爪部９６とから構成され、トレー部材４０が第２位置へ到来すると両係止爪部９４,９６が相互に係止するようになり、トレー部材４０が第２位置に停止保持されると共にコンソールリッド３０が開放位置に停止保持される。また、トレー部材４０の前端面には、前述した回動レバー体９２の係止爪部９４と第１連結支持部材６２の係止爪部９６との係止状態を解除するための操作ボタン９８が配設されており、この操作ボタン９８には、前述した回動レバー体９２に対して傾斜面で当接する当接部材１００が取付けられている。従って、操作ボタン９８を指先で押すと、図６に例示するように、当接部材１００のスライド移動により回動レバー体９２が軸部９２Ａを中心として図６の反時計方向へ回動するので前述した両係止爪部９４,９６の係止状態が解除され、トレー部材４０の後方側への移動およびコンソールリッド３０の閉成動作が許容される。
【００２３】
以上説明したように、第１実施例のコンソールボックスＣＢでは、コンソールリッド３０をコンソール本体１０へ閉成させると、図２および図３に例示したように、前述した姿勢制御手段６０および移動制御手段７０の協働により、該コンソールリッド３０の閉成動作と共にトレー部材４０が水平姿勢に保持された状態で収容空間２２へ収容されて第１位置に停止保持される。これにより、コンソール本体１０に画成された物品収納部１２およびトレー部材４０に画成された物品載置部４２は、コンソール本体１０へ閉成したコンソールリッド３０により好適に覆蓋される。なお閉成したコンソールリッド３０は、アームレストとしても好適に機能する。
【００２４】
そして、コンソールリッド３０に画成された物品収納部１２に対する物品の出し入れ、またはトレー部材４０に画成された物品載置部４２に対する小間物の出し入れに際しては、前述した操作レバー８８を指先操作することでコンソールリッド３０の開放動作が許容され、コンソールリッド３０をコンソール本体１０から開放させる過程で、図４および図５に例示したように、前述した姿勢制御手段６０および移動制御手段７０の協働により、トレー部材４０が水平姿勢に保持された状態で収容空間２２から前方へ変位して第２位置に停止保持される。これにより、コンソール本体１０に画成された物品収納部１２およびトレー部材４０に画成された物品載置部４２は何れも外方へ大きく露出した状態で開放され、物品収納部１２に対する物品の出し入れおよび／または物品載置部４２に対する小間物の出し入れが許容される。
【００２５】
この際に、第１実施例のコンソールボックスＣＢでは、図４および図５から明らかなように、物品収納部１２の開口部１４からトレー部材４０が略完全に退避するようになるため、該物品収納部１２に対する物品の出し入れを円滑に行ない得る。しかも、開口部１４が全面的に開放しているため、物品収納部１２と略同一サイズの物品であっても出し入れが可能である。
【００２６】
一方、トレー部材４０は、コンソールリッド３０の開放に連動して第１位置から第２位置へ移動するに過程で常に水平姿勢に保持されているため、物品載置部４２に種々小間物が収納載置されていたとしても、これらが内部でずれ動いて乱雑となることがない。従って、小間物の破損等が発生しないと共に、物品載置部４２に対する小間物の出し入れも当然のことながら円滑に行ない得る。しかも、トレー部材４０は、コンソール本体１０の後方側へ開放するコンソールリッド３０の開放方向とは反対となる前方側へ移動して停止しているため、物品載置部４２に対して小間物を出し入れするに際して該コンソールリッド３０が邪魔になることが全くない。
【００２７】
そして、コンソールリッド３０をコンソール本体１０へ閉成させる際には、図６に例示したように、前述した操作ボタン９８を押すことでトレー部材４０の後方側への移動が許容され、前述した姿勢制御手段６０および移動制御手段７０の協働により、該トレー部材４０が水平姿勢に保持された状態で収容空間２２内へ収容されると共にコンソールリッド３０がコンソール本体１０へ閉成される。従って、トレー部材４０の物品載置部４２内に収納載置された小間物が該物品載置部４２内でずれ動くことがない。
【００２８】
このように第１実施例に係るコンソールボックスＣＢでは、トレー部材４０をコンソール本体１０へ取付ける姿勢制御手段６０と、トレー部材４０およびコンソールリッド３０を連繋する移動制御手段７０との協働により、コンソールリッド３０の開閉動作に際してトレー部材４０が常に水平姿勢に保持された状態で移動するようになり、このトレー部材４０の物品載置部４２に収納載置された小間物がずれ動く不都合を好適に防止できる。また、コンソールリッド３０を開放した際には、コンソール本体１０に画成した物品収納部１２の開口部１４から退避した第２位置へトレー部材４０が移動するようになるため、この物品収納部１２に対する物品の出し入れを円滑に行ない得ると共に、大型サイズの物品の出し入れも好適に行ない得る。
【００２９】
なお、姿勢制御手段６０のリンク機構は、前述した第１連結支持部材６２および第２連結支持部材６４から構成されたものに限定されるものではなく、第１位置、第２位置、および第１位置と第２位置との間の移動過程において、トレー部材４０が常に水平姿勢に保持され得る構造であれはこれ以外の構成でもよい。
【００３０】
(第２実施例)
図７は、第２実施例に係るコンソールボックスの後側部分を、コンソールリッドを閉成させた状態で示した一部破断説明図であり、図８は、第２実施例に係るコンソールボックスの後側部分を、コンソールリッドを開放させた状態で示した一部破断説明図である。第２実施例のコンソールボックスＣＢは、コンソール本体１０、コンソールリッド３０およびトレー部材４０の基本的構成は第１実施例と同一であり、姿勢制御手段６０および移動制御手段７０の構成が異なっている。従ってここでは、姿勢制御手段６０および移動制御手段７０についてのみ説明する。
【００３１】
姿勢制御手段６０は、コンソール本体１０において前述した収容空間２２に臨む部位に配設され、二本のレール溝６７を有したガイドレール部材(第１ガイド部材)６６と、トレー部材４０における側面の所要位置に配設され、各レール溝６７,６７へ摺動可能に嵌合した二つのボス(第２ガイド部材)６８,６８とからなり、トレー部材４０の両側に装備された左右一対のスライド機構を呈している。これらガイドレール部材６６および各ボス６８は、少なくとも何れか一方が自己潤滑性を有する合成樹脂(ポリアセタール等)を材質としており、各ボス６８が対応のレール溝６７に嵌合しながらスムーズに摺動するようになっている。そして、各々のボス６８,６８がトレー部材４０に対してその前後方向へ所要間隔を置いて配設されているため、これらボス６８,６８が対応のリール溝６７,６７に係合されていることで、該トレー部材４０の水平姿勢が保持される。このようなスライド機構を呈する姿勢制御手段６０によりコンソール本体１０へ取付けられたトレー部材４０は、各ボス６８が対応のレール溝６７に沿ってガイドレール部材６６の後方側へスライドすると、水平姿勢に保持された状態で収容空間２２へ収容されて第１位置で停止保持されるようになる(図７)。一方、各ボス６８が対応のレール溝６７に沿ってガイドレール部材６６の前方側へスライドすると、水平姿勢に保持された状態で収容空間２２から前側へ移動して第２位置で停止保持され、物品収納部１２の開口部１４から退避した状態となる(図８)。
【００３２】
移動制御手段７０は、コンソールリッド３０の裏側に配設された前述の第１作動部材７２と、前述したトレー部材４０の後壁面に設けた延出部４０Ａに枢着され、該第１作動部材７２に枢着される第２作動部材７４とからなり、トレー部材４０の両側に装備された左右一対のリンク機構を呈している。このようなリンク機構を呈する移動制御手段７０によりコンソールリッド３０へ連繋されたトレー部材４０は、コンソールリッド３０をコンソール本体１０へ倒伏させ閉成させると、前述した姿勢制御手段６０の各ボス６８のスライドにより水平姿勢に保持された状態で第１位置へ移動して停止保持され、該コンソールリッド３０で覆蓋されるようになる(図７)。一方、コンソールリッド３０をコンソール本体１０から起立させ後方側へ開放させると、前述した移動制御手段６０の各ボス６８のスライドにより水平姿勢に保持された状態で第２位置へ移動して停止保持され、該コンソールリッド３０から離間するようになる(図８)。
【００３３】
従って、第２実施例のコンソールボックスＣＢでは、これら姿勢制御手段６０および移動制御手段７０の協働により、コンソールリッド３０をコンソール本体１０へ閉成させると、トレー部材４０が前述の第１位置へ水平姿勢で移動して収容空間２２内へ収容される一方、該コンソールリッド３０をコンソール本体１０から開放させると、該トレー部材４０が前述の第２位置へ水平姿勢で移動して前方へ延出するようになる。なお、ガイドレール部材６６には、図７および図８に例示したように、図示しないスプリングにより弾力付勢されてレール溝６７へ出没可能に突出した係合突片１０２が配設されており、トレー部材４０が第２位置へ到来するに際し、ボス６８がこの係合突片１０２を押し上げて通過するようになる。従って、トレー部材４０が第２位置へ到来した際には、図８に例示したように、弾力付勢された係合突片１０２にボス６８が係合するようになり、該トレー部材４０が第２位置に保持されると共にコンソールリッド３０が開放位置に保持されるようになる。なお、トレー部材４０を後方側へ適度の力で押すと、ボス６８が弾力付勢されている係合突片１０２を押し上げて通過するようになり、該トレー部材４０を第１位置へ移動させ得ると共にコンソールリッド３０を閉成位置へ移動させ得る。
【００３４】
このように第２実施例に係るコンソールボックスＣＢでも、トレー部材４０をコンソール本体１０へ取付ける姿勢制御手段６０と、トレー部材４０およびコンソールリッド３０を連繋する移動制御手段７０との協働により、コンソールリッド３０の開閉動作に際してトレー部材４０が常に水平姿勢に保持された状態で移動するようになり、このトレー部材４０の物品載置部４２に収納された小間物がずれ動く不都合を好適に防止できる。また、コンソールリッド３０を開放した際には、コンソール本体１０に画成した物品収納部１２の開口部１４から退避した第２位置へトレー部材４０が移動するようになるため、この物品収納部１２に対する物品の出し入れを円滑に行ない得ると共に、大型サイズの物品の出し入れも好適に行ない得る。
【００３５】
なお、前述した姿勢制御手段６０を構成するガイドレール部材６６は、図７および図８に例示したようなレール溝６７が水平に延在するものに限定されるものではない。例えば、各レール溝６７を適宜角度の傾斜状に延在するようにすれば、第１位置と第２位置との間を移動するトレー部材４０を、水平姿勢に保持させた状態のもとで上昇または下降させ得るようになる。また各レール溝６７は、非直線状(湾曲状等)に延在するようにしてもよい。
【００３６】
また、トレー部材４０を第１位置および第２位置に移動させる移動制御手段７０は、第１実施例および第２実施例に例示したリンク機構に限定されるものではない。例えば、コンソールリッド３０の開閉動作を検出する手段を別途に設けると共に、これによる検出信号に基づいて作動する流体アクチュエータのロッドをトレー部材４０に連結した構成とし、コンソールリッド３０の開閉動作に連動して流体アクチュエータを作動させることで、トレー部材４０を第１位置および第２位置へ移動させる構成としてもよい。また、前述した流体アクチュエータの代わりに、ギアやベルト等を介して電動モータを連繋させた構成として、コンソールリッド３０の開閉動作に連動して該電動モータを駆動させることで、トレー部材４０を第１位置および第２位置へ移動させる構成としてもよい。
【００３７】
更に、トレー部材４０の移動方向は、コンソール本体１０の前方側に限定されるものではなく、コンソールリッド３０の開放方向とは異なることを前提として、コンソール本体１０の左側方または右側方へ移動させるようにしてもよい。
【産業上の利用可能性】
【００３８】
本発明に係るコンソールボックスは、上方に開口した物品収納部を画成したコンソール本体と、このコンソール本体の上部に回動自在に配設されたコンソールリッドと、これら物品収納部とコンソールリッドとの間に配設されたトレー部材とからなるコンソールボックスにおいて、トレー部材の物品載置部に載置された小間物のずれ動きを防止したもとで物品収納部に対する物品の出し入れを好適に行ない得るようにしたコンソールボックスであって、コンソールボックスを有する全ての自動車に好適に実施可能である。
【図面の簡単な説明】
【００３９】
【図１】第１実施例に係るコンソールボックスの概略斜視図である。
【図２】図１に例示したコンソールボックスの後側部分を、コンソールリッドを閉成させた状態で示した一部破断説明図である。
【図３】図１のIII−III線断面図である。
【図４】図１に例示したコンソールボックスを、コンソールリッドを開放させた状態で示した概略斜視図である。
【図５】図１に例示したコンソールボックスの後側部分を、コンソールリッドを開放させた状態で示した一部破断説明図である。
【図６】第２位置に到来したトレー部材を、第１位置へ移動させる際の操作状態で示した説明断面図である。
【図７】第２実施例に係るコンソールボックスの後側部分を、コンソールリッドを閉成させた状態で示した一部破断説明図である。
【図８】第２実施例に係るコンソールボックスの後側部分を、コンソールリッドを開放させた状態で示した一部破断説明図である。
【図９】トレー部材を具備した従前のコンソールボックスを例示した説明図であって、(ａ)はコンソールリッドのみを開放させた状態を例示し、(ｂ)はコンソールリッドおよびトレー部材の両方を開放させた状態を例示している。
【図１０】トレー部材を具備した従来のコンソールボックスを例示した説明図であって、(ａ)はコンソールリッドを閉成させた状態を例示し、(ｂ)はコンソールリッドを開放させた状態を例示している。
【符号の説明】
【００４０】
１２  物品収納部
１０  コンソール本体
３０  コンソールリッド
４０  トレー部材
６０  姿勢制御手段
６２  第１連結支持部材(連結支持部材)
６４  第２連結支持部材(連結支持部材)
６６  ガイドレール部材(第１ガイド部材)
６８  ボス(第２ガイド部材)
７０  移動制御手段
７２  第１作動部材
７４  第２作動部材
【図１】
2005343208.tif 000003
【図２】
2005343208.tif 000004
【図３】
2005343208.tif 000005
【図４】
2005343208.tif 000006
【図５】
2005343208.tif 000007
【図６】
2005343208.tif 000008
【図７】
2005343208.tif 000009
【図８】
2005343208.tif 000010
【図９】
2005343208.tif 000011
【図１０】
2005343208.tif 000012